(57)【要約】【課題】  複数本のヘアドライヤーを扉の裏側の一箇所に収納することができる洗面化粧台を提供することを目的とする。【解決手段】  洗面ボウル１１を支持するキャビネット１２の内部を収納部１２１とし、収納部１２１の前面を開閉する扉１２２を備え、扉１２２の収納部側の面にドライヤー収納部３０を取り付けた洗面化粧台Ｌにおいて、ドライヤー収納部３０は、上面部にヘアドライヤーＤ，Ｈ，Ｋを差し込み可能な複数の差込口３２ａ，３３ａ，３４ａが扉１２２に沿って水平方向に並べて設けられ、複数本のヘアドライヤーＤ，Ｈ，Ｋを各差込口３２ａ，３３ａ，３４ａに差し込んで立てて収納することを可能とした。【選択図】  図３
2015054164.tif 000002
【特許請求の範囲】
【請求項１】
洗面ボウルを支持するキャビネットの内部を収納部とし、前記収納部の前面を開閉する扉を備え、前記扉の前記収納部側の面にドライヤー収納部を取り付けた洗面化粧台において、
前記ドライヤー収納部は、上面部にヘアドライヤーを差し込み可能な複数の差込口が前記扉に沿って水平方向に並べて設けられ、複数本のヘアドライヤーを各差込口に差し込んで立てて収納することを可能としたことを特徴とする洗面化粧台。
【請求項２】
前記ドライヤー収納部は、その側面に、ヘアドライヤーのコードをドライヤー収納部の内部に収めることが可能なコード挿入口が設けられていることを特徴とする請求項１記載の洗面化粧台。
【請求項３】
前記ドライヤー収納部は、ヘアドライヤーを浮かして保持することが可能な引っ掛け部を有することを特徴とする請求項２記載の洗面化粧台。
【請求項４】
前記ドライヤー収納部は、上面部の両端部に上向きの突出部を設けていることを特徴とする請求項３記載の洗面化粧台。
【発明の詳細な説明】
【技術分野】
【０００１】
本発明は、複数本のヘアドライヤーを一箇所に収納することが可能な洗面化粧台に関する。
【背景技術】
【０００２】
洗面化粧台には、ヘアドライヤーの収納部を設けることがある。例えば、特許文献１では、洗面化粧台用のミラーキャビネットのミラーの裏の収納部に、ヘアドライヤーを収納可能な収納空間が設けている。
しかし、ミラーキャビネットの収納空間は奥行寸法に制限があり、大型のヘアドライヤーを収納することができない。
大型のヘアドライヤーを収納するには、例えば、特許文献２に示されているように、洗面ボウルより下方の収納部を利用するのが有効である。
【先行技術文献】
【特許文献】
【０００３】
【特許文献１】特開２００７−２０２９６３号公報
【特許文献２】特開２００８−１６１４１５号公報
【発明の概要】
【発明が解決しようとする課題】
【０００４】
しかし、特許文献２の従来技術に示されているように、扉の裏面にヘアドライヤーを収納するポケットを設けた場合は、ポケットにヘアドライヤーを横に寝かせて収納するので、１本しか収納することができない。ところが、複数本のヘアドライヤーがある家庭も多く、ヘアドライヤーを収納したいという要望に対して十分に応えられていない。
また、特許文献２では、洗面ボウルの下方の引出しを仕切りによって区分けされたヘアドライヤーの収納領域を設けることが提案されている。これならば、複数本のヘアドライヤーを収納することができる。しかし、引出しをヘアドライヤーの収納部として利用するため、引出しに他の収納物を収納するスペースが狭くなってしまうという問題が生ずる。
【０００５】
そこで、本発明は、上記のような問題点を解消するために、複数本のヘアドライヤーを扉の裏側の一箇所に収納することができる洗面化粧台を提供することを目的とする。
【課題を解決するための手段】
【０００６】
上記した目的を達成するために、本発明は、洗面ボウルを支持するキャビネットの内部を収納部とし、前記収納部の前面を開閉する扉を備え、前記扉の前記収納部側の面にドライヤー収納部を取り付けた洗面化粧台において、前記ドライヤー収納部は、上面部にヘアドライヤーを差し込み可能な複数の差込口が前記扉に沿って水平方向に並べて設けられ、複数本のヘアドライヤーを各差込口に差し込んで立てて収納することを可能としたことを特徴とする。
【０００７】
これによれば、家庭に複数本あることも多いヘアドライヤーを、立てた状態で収納することができる。しかも、ドライヤー収納部は、洗面化粧台の収納部を開閉する扉の裏面に沿って、複数本のヘアドライヤーを水平方向に並べて収納可能なので、複数本のヘアドライヤーを一箇所にまとめて収納でき、複数本のヘアドライヤーを離れたところに収納していた従来技術に比べて、ヘアドライヤーの出し入れに要する時間を短くすることが可能となる。よって、家族が入れ替わって使用する洗面化粧台において、ヘアケアに要する時間を短くすることが可能となる。また、ヘアドライヤーは立った姿勢で収納されるので、小さなスペースに複数本のヘアドライヤーを収納することができて収納効率がよい上、他のヘアドライヤーをどかさずに取り出すことができるので、出し入れをスムーズに行うことができ、使い勝手がよい。
【０００８】
また、本発明に係る洗面化粧台では、前記ドライヤー収納部は、その側面に、ヘアドライヤーのコードをドライヤー収納部の内部に収めることが可能なコード挿入口が設けられるのが好ましい。
【０００９】
これによれば、いちいちコードを束ねなくても簡単に収納できるので、短時間でヘアドライヤーを収納することが可能となる。また、コードが下方に垂れずに扉の開閉時にコードを挟みこむことがなく、コードの断線を防止することが可能となる。さらに、コード挿入口はドライヤー収納部の側面に設けられているので、ドライヤー収納部が鉄線などの線材を組んで形成されている場合には、ヘアドライヤーを取り出す際に、線材にコードが引っ掛かるのを抑制することができ、快適に使用することが可能となる。
【００１０】
さらに、本発明に係る洗面化粧台では、前記ドライヤー収納部は、ヘアドライヤーを浮かして保持することが可能な引っ掛け部を有することが好ましい。
【００１１】
これによれば、折り畳み式ヘアドライヤーを引っ掛ければ、ヘアドライヤーの収納、取り出しが行い易い。また、引っ掛け部に掛けられたヘアドライヤーは、その先端がドライヤー収納部内の下端部に到達しないので、ドライヤー収納部の下端部に空いた領域が形成される。その領域にコードを収納することができるので、コードの収納をより簡単に行うことが可能となる。
【００１２】
また、本発明に係る洗面化粧台では、前記ドライヤー収納部は、上面部の両端部に上向きの突出部を設けているのが好ましい。
【００１３】
これによれば、突出部にコードを引っ掛けることも可能。また、突出部を利用してビニル袋を引っ掛ければ、ドライヤー収納部の一部をゴミ箱として使うこともできる。
【発明の効果】
【００１４】
本発明によれば、複数本のヘアドライヤーを扉の裏側の一箇所に収納することができる洗面化粧台を提供することが可能となる。
【図面の簡単な説明】
【００１５】
【図１】本発明の洗面化粧台を示す斜視図である。
【図２】ドライヤー収納部を示す斜視図である。
【図３】（ａ）はドライヤー収納部のコード挿入口を示す模式的斜視図、（ｂ）は差込口を示す模式的平面図である。
【図４】ドライヤー収納部にヘアドライヤーを収納した状態を示す斜視図である。
【発明を実施するための形態】
【００１６】
図１を参照して、本発明にかかる洗面化粧台について説明する。
図１は、本発明の洗面化粧台を示す斜視図、図２は、ドライヤー収納部を示す斜視図、図３（ａ）はドライヤー収納部のコード挿入口を示す模式的斜視図、図３（ｂ）は差込口を示す模式的平面図である。
洗面化粧台Ｌは、洗面ボウル１１とその洗面ボウル１１を支持するキャビネット１２とを有する洗面台１０と、洗面台１０の上方に設けられるミラーキャビネット２０と、を備えている。
【００１７】
洗面台１０は、キャビネット１２の内部が収納部１２１とされており、その収納部１２１の前面に、ヒンジ１２２ａによって左右方向に開閉する扉１２２が設けられている。扉１２２の裏面（収納部側の面）には、ドライヤー収納部３０が取り付けられている。
【００１８】
図２に示すように、ドライヤー収納部３０は、折り曲げ加工された鉄線を組み合わせて構成され、中央部の奥行寸法が左右両端部の奥行寸法よりも大きく、上面視がかまぼこ形状をしている。そして、このかまぼこ形状の平板部分が扉１２２に当接する。
【００１９】
また、ドライヤー収納部３０は、仕切り３１ａ，３１ｂによって内部が３つの部屋３２，３３，３４に区分されている。この３つの部屋３２，３３，３４は、扉１２２の裏面に沿って水平方向に並んでいる。そして、図３に示すように、ドライヤー収納部３０の上面部には、各部屋３２，３３，３４にヘアドライヤーを差し込むことができる差込口３２ａ，３３ａ，３４ａが設けられている。そのため、この差込口３２ａ，３３ａ，３４ａは、扉１２２に沿って３個水平方向に並ぶように設けられている。なお、前述したとおり、ドライヤー収納部３０は、上面視がかまぼこ形状をしているので、中央の部屋３３は、左右の部屋３２，３４に比べて奥行寸法が大であり、大型のヘアドライヤーを収納するのに適している。
【００２０】
そして、ドライヤー収納部３０の上面部は、その扉１２２とは反対側の端部（前端部）が、ヘアドライヤーを浮かした状態で保持するための引っ掛け部３７とされている。
【００２１】
また、ドライヤー収納部３０には、その扉１２２とは反対側となる側面、すなわち前面に、コード挿入口３２ｂ，３３ｂ，３４ｂが設けられている。コード挿入口３２ｂ，３３ｂ，３４ｂは、３つの部屋３２，３３，３４とドライヤー収納部３０の前方とを連通させている。このコード挿入口３２ｂ、３３ｂ、３４ｂの下端は、ドライヤー収納部３０の底から所定長さ高くなっている。これにより、コード挿入口３２ｂ、３３ｂ、３４ｂから部屋３２，３３，３４の下端部に収納したコードが、コード挿入口３２ｂ、３３ｂ、３４ｂからドライヤー収納部３０の外にはみ出すのを防止している。
【００２２】
さらに、ドライヤー収納部３０は、その上面部の左右両端部に上向きの突出部３５，３６を設けている。
【００２３】
次に、このドライヤー収納部３０へのヘアドライヤーの収納方法について説明する。
図４は、ドライヤー収納部にヘアドライヤーを収納した状態を示す斜視図である。
ドライヤー収納部３０には、３本のヘアドライヤーＤ，Ｈ，Ｋが収納されている。左端の部屋３２にはくるくるドライヤー（登録商標）タイプのヘアドライヤーＫが、中央の部屋３３には大型のヘアドライヤーＤが、右端の部屋３４にはヘアアイロンＨが、それぞれ収納されている。大型のヘアドライヤーＤは、ドライヤー本体Ｄ２に対してハンドルＤ３が折り畳まれた状態として、ドライヤー本体Ｄ２の先端を差込口３３ａから差し込み、ドライヤー本体Ｄ２とハンドルＤ３とのコーナー部を引っ掛け部３７に掛けるようにして保持する。そして、ハンドルＤ３の端部から延びるコードＤ１を、適宜丸めてコード挿入口３３ｂから部屋３３の下端部に挿入する。ヘアドライヤーＤは、引っ掛け部３７に掛けられているため、ドライヤー本体Ｄ２の先端は部屋３３の下端まで達しないので、部屋３３の下端にはコードＤ１をスムーズに挿入することが可能である。
【００２４】
また、例えば、ヘアドライヤーが１本のみの場合には、中央の部屋３３のみをヘアドライヤーの収納に利用し、他の部屋３２，３４にはビニル袋を入れてゴミ入れのように使用することが可能である。突出部３５，３６は、その際に、ビニル袋の端部を引っ掛けるために使用することができる。
【００２５】
また、ヘアドライヤーＨ，Ｋの本体Ｈ２，Ｋ２から延びるコードＨ１，Ｋ１を束ねた状態で、左右両端部の部屋３２，３４に収納する場合には、コードＨ１，Ｋ１を部屋３２，３４に入れずに、束ねたコードＨ１，Ｋ１を突出部３５，３６に引っ掛けてもよい。
【００２６】
このように、本実施形態によれば、複数本のヘアドライヤーを、立てた状態で収納することができる。しかも、ドライヤー収納部３０は、洗面化粧台Ｌの収納部１２１を開閉する扉１２２の裏面に沿って、複数本のヘアドライヤーを水平方向に並べて収納可能なので、複数本のヘアドライヤーを一箇所にまとめて収納でき、複数本のヘアドライヤーを離れたところに収納していた従来技術に比べて、ヘアドライヤーの出し入れに要する時間を短くすることが可能となる。よって、家族が入れ替わって使用する洗面化粧台において、ヘアケアに要する時間を短くすることが可能となる。また、ヘアドライヤーは立った姿勢で収納されるので、小さなスペースに複数本のヘアドライヤーを収納することができて、収納効率がよい。さらに、他のヘアドライヤーをどかさずに取り出すことができるので、出し入れをスムーズに行うことができて使い勝手がよい。
【００２７】
また、引っ掛け部３７にハンドルが折り畳み式のヘアドライヤーＤのドライヤー本体Ｄ２とハンドルＤ３とのコーナー部を引っ掛けるようにして収納すれば、ドライヤー本体Ｄ２が短いヘアドライヤーであっても、ドライヤー本体Ｄ２の後端は必ずドライヤー収納部３０の上面部から上に飛び出るので、ヘアドライヤーの取り出しが行い易い。
【００２８】
さらに、コード挿入口３２ｂ、３３ｂ、３４ｂを利用してドライヤー収納部３０の側方から部屋３２，３３，３４の中にコードＤ１，Ｈ１，Ｋ１を束ねずに収納できるので、いちいちコードを束ねることなく、短時間でヘアドライヤーを収納することができる。
コード挿入口３２ｂ、３３ｂ、３４ｂの下端は、ドライヤー収納部３０の底から所定長さ高く形成されているので、コード挿入口３２ｂ、３３ｂ、３４ｂから部屋３２，３３，３４の下端部に収納したコードが、コード挿入口３２ｂ、３３ｂ、３４ｂからドライヤー収納部３０の外にはみ出さない。そのため、ドライヤー収納部３０からはみ出たコードが下に垂れて扉１２２の開閉時に挟まれるのを防止することができる。
また、ヘアドライヤーを引っ掛け部３７に掛けておけば、コードは、ヘアドライヤーの先端が到達しないドライヤー収納部内の下端の空いた領域に収納されるので、ドライヤー本体Ｄ２によってコードＤ１の収納空間を圧迫することがなく、コードの収納しやすさを損なうことがない。
さらに、また、コード挿入口３２ｂ、３３ｂ、３４ｂはドライヤー収納部３０の側面に設けられているので、ドライヤー収納部３０が鉄線などの線材を組んで形成されている場合には、ヘアドライヤーを取り出す際に、線材にコードが引っ掛かるのを抑制することができ、快適に使用することが可能となる。
【００２９】
さらに、また、突出部３５，３６を利用して束ねたコードを引っ掛けることも可能である。また、突出部３５，３６を利用して空いている部屋３２，３４にビニル袋を引っ掛ければ、ドライヤー収納部３０の一部をゴミ箱として使うこともできる。
【００３０】
また、ドライヤー収納部３０は、その中央が最も奥行きが大きい上面視かまぼこ形状とされているので、中央の部屋３３に大型ヘアドライヤーを収納することができる。
【００３１】
以上、本発明の実施の形態を、図を参照しつつ説明したが、本発明の実施形態は、上記に説明したものに限定されない。
例えば、ドライヤー収納部３０の部屋の数は３つに限定されるものではない。
また、前述した引っ掛け部３７に、ヘアドライヤーＤのハンドルＤ３が嵌まるような凹部を形成してもよい。凹部にハンドルＤ３が嵌まれば、扉１２２を開閉する際にヘアドライヤーＤの大きな揺動を阻止することができ、ヘアドライヤーＤに傷が付くのを抑制することが可能となる。
また、ドライヤー収納部３０の引っ掛け部３７にヘアドライヤーを掛けずに、ドライヤー収納部３０の底でドライヤー本体を保持するようにしてもよい。
【符号の説明】
【００３２】
１０：洗面台
１１：洗面ボウル
１２：キャビネット
１２１：収納部
１２２：扉
２０：ミラーキャビネット
３０：ドライヤー収納部
３１ａ，３１ｂ：仕切り
３２，３３，３４：部屋
３２ａ，３３ａ，３４ａ：差込口
３２ｂ，３３ｂ，３４ｂ：コード挿入口
３５，３６：突出部
３７：引っ掛け部
Ｄ：ヘアドライヤー
Ｈ：ヘアドライヤー
Ｋ：ヘアドライヤー
Ｌ：洗面化粧台
【図１】
2015054164.tif 000003
【図２】
2015054164.tif 000004
【図３】
2015054164.tif 000005
【図４】
2015054164.tif 000006